(57)【要約】【目的】  通常の外光や発光光線がカメラ本体へ漏洩することがなく、十分な防塵機能及び防滴機能を維持し、高いコストパフォーマンス及び、部品点数を削減し、更に耐久性に優れたフラッシュ機構を提供する。【構成】  収納位置と起立位置は発光部ユニット２とカメラ本体で構成するヒンジ軸３ｂ及び４ｂを回転軸とした回動動作で得られるものであり、当該回動角の約半分以内の位置までは収納方向或いは起立方向に付勢された状態にあり、前記回動角の約半分以上では、起立方向或いは収納方向に反転付勢される、所謂スナップ機構を構成するものであり、当該スナップ機構は前記ヒンジ軸３ｂ及び４ｂを同軸として遊嵌する揺動レバー３及び４と当該揺動レバー３及び４と前記発光部ユニット２間に掛けるスナップバネ５によって構成した。【選択図】図１
2006308818.tif 000002
【特許請求の範囲】
【請求項１】
不使用時は発光部ユニットを収納してカメラ本体の外装部材に密着した状態にあり、使用時は起立した状態で発光可能となる一眼レフカメラ内蔵のフラッシュ機構において、収納位置と起立位置は前記発光部ユニットと前記カメラ本体で構成するヒンジ軸を回転軸とした回動動作で得られるものであり、当該回動角の約半分以内の位置までは収納方向或いは起立方向に付勢された状態にあり、前記回動角の約半分以上では、起立方向或いは収納方向に反転付勢される、所謂スナップ機構を構成するものであり、当該スナップ機構は前記ヒンジ軸を同軸として遊嵌する揺動レバーと当該揺動レバーと前記発光部ユニット間に掛けるスナップバネによって構成されることを特徴とするカメラのフラッシュ機構。
【発明の詳細な説明】
【技術分野】
【０００１】
本発明は、カメラのポップアップ式フラッシュ機構に関し、特に一眼レフカメラの内蔵型のフラッシュ機構に関する。
【背景技術】
【０００２】
従来、一眼レフカメラに内蔵するフラッシュは頂上のペンタプリズム位置に外観の一部として配設していて、使用時は起立状態にし、不使用時は引き込むリトラクタブル構造が一般的で、この構造の中でも撮影時の被写体光量に応じてフラッシュ部が自動的にポップアップし、撮影終了後自動的に収納状態に復する全自動型のものと、光量に応じて自動的にポップアップするが、収納は手動で行う半自動型のものと、使用時に手動で持ち上げ、不使用時には手動で収納する手動型の３種類がある。
【０００３】
全自動型としては特開平７−２０５２５号公報で示すように被写体光量の計測結果により必要に応じて、モータ動力でポップアップし、不使用時にはモータ動力で収納する手段を提案していている。
【０００４】
半自動型として特開平７−５６２２５号公報ではバネ６によってフラッシュ１がポップアップ位置に付勢されていて、不使用時には手動でフラッシュ１を押し下げ、ロックを掛けて収納状態を保持し、必要に応じてプランジャー４に信号を送り、ロックを解除することによってフラッシュ１をポップアップさせる機構を提案している。
【特許文献１】特開平７−２０５２５号公報
【特許文献２】特開平７−５６２２５号公報
【発明の開示】
【発明が解決しようとする課題】
【０００５】
しかしながら、上記特開平７−２０５２５号公報においては非常に複雑になり、部品点数も過大で、相当のコストがかかることからコンパクトで低価格機種には向いていない。
【０００６】
また、上記特開平７−５６２２５号公報ではロック部分は緊締レバー２をカメラ本体の長穴を通して外部のフラッシュ１を繋止することになり、カメラ本体の長穴からの漏光や塵埃の侵入などで不都合な問題が生じていた。
【０００７】
フラッシュを内蔵する一眼レフカメラで通常の不使用時には発光部ユニットが外装部材に密着収納されていて、必要とする時点において効率よい発光が可能となるポップアップ状態が得られるフラッシュ機構であって、外形のトップ位置にあるために過酷な環境に曝される場合が多いが、通常の外光や発光光線がカメラ本体へ漏洩することのないものであると同時に、如何なる場合においても十分な防塵機能及び防滴機能が維持されていることが必要となる。
【０００８】
他方で高いコストパフォーマンスが求められ、構造的には可能な限り部品点数が削減された単純化機構を実現する必要があり、更に耐久性に優れた機構が望まれている。
【課題を解決するための手段】
【０００９】
本発明のカメラのフラッシュ機構においては、不使用時は発光部ユニットを収納してカメラ本体の外装部材に密着した状態にあり、使用時は起立した状態で発光可能となる一眼レフカメラ内蔵のフラッシュ機構において、収納位置と起立位置は前記発光部ユニットと前記カメラ本体で構成するヒンジ軸を回転軸とした回動動作で得られるものであり、当該回動角の約半分以内の位置までは収納方向或いは起立方向に付勢された状態にあり、前記回動角の約半分以上では、起立方向或いは収納方向に反転付勢される、所謂スナップ機構を構成するものであり、当該スナップ機構は前記ヒンジ軸を同軸として遊嵌する揺動レバーと当該揺動レバーと前記発光部ユニット間に掛けるスナップバネによって構成した。
【発明の効果】
【００１０】
本発明のスナップ機構はスナップバネと揺動レバーの単純機構にして発光部ユニットに組み込まれているためカメラ本体と発光部ユニットを結合するものは前記発光部ユニットとカメラ本体を回動可能に軸止したヒンジ軸のみの単純化された機構である。それによって、漏光の原因となる穴は省略でき、ヒンジ軸の嵌合精度のみの管理で、抜群の防塵、防滴の効果が得られる。
【発明を実施するための最良の形態】
【００１１】
以下、図面等を参照して本発明の最も良好な実施形態を説明する。
【００１２】
図１は、本発明のフラッシュ機構を一眼レフカメラのトップカバーに搭載した１実施例を示す組み立て斜視図で、図２は本発明装置の収納時の断面図で、図３はポップアップ時の断面図を示す。
【００１３】
図１に示すトップカバー１は一眼レフカメラの操作部及び表示部が配設される上部の外装部品で、突出部１ａはペンタプリズムを被装する部分に当たり、この上からこの突出部１ａを挟み込む形で発光部ユニット２を搭載する形を採っている。
【００１４】
発光部ユニット２は腕２ａ及び２ｂを持ったＵ字形をしていてトップカバー１の突出部１ａを抱くような形で設置され、トップカバー１のヒンジ穴１ｂが発光部ユニット２のヒンジ穴２ｃ、トップカバー１のヒンジ穴１ｃが発光部ユニット２のヒンジ穴２ｄと共通穴としてそれぞれに、揺動レバー３のヒンジ軸３ｂと揺動レバー４のヒンジ軸４ｂを嵌挿させると、このヒンジ軸３ｂ、４ｂを中心に発光部ユニット２が回転でき、この回転によって前方中心２ｅに固設する発光部１０を収納位置からポップアップ位置へ或いはポップアップ位置から収納位置へ移動させることができる。
【００１５】
このトップカバー１のヒンジ穴１ｂ、１ｃと揺動レバー３のヒンジ軸３ｂ及び揺動レバー４のヒンジ軸４ｂについて詳述すると、ヒンジ穴１ｂ及び１ｃは直線幅を有する小判形状の穴になっていて、これに嵌挿するヒンジ軸３ｂ及び４ｂも前記ヒンジ穴１ｂ及び１ｃの直線幅より小さい小判形状の軸となっている。このためトップカバー１のヒンジ穴１ｂ及び１ｃに嵌挿する揺動レバー３のヒンジ軸３ｂ及び揺動レバー４のヒンジ軸４ｂは或る一定の角度しか回動できないようになっている。これが図２のＡに示す揺動レバー３の収納状態である収納位置と図３のＡに示す揺動レバー３のポップアップ状態であるポップアップ位置であり、トップカバー１内において、揺動レバー３のヒンジ軸３ｂ及び揺動レバー４のヒンジ軸４ｂが相互結合されるようになっているので、揺動レバー４は揺動レバー３と一体で揺動することになる。
【００１６】
発光部ユニット２のヒンジ穴２ｃ及び２ｄは真円の穴であって、揺動レバー３及び４のヒンジ軸３ｂ及び４ｂに対してフルに回動できるようになっているが、スナップバネ５のリング端５ａを揺動レバー３のピン３ａに、支柱２ｆにスナップバネ５のリング端５ｂを掛け渡してから支柱２ｇに押さえ板６を固定してスナップバネ５の脱出を防いでいて、押さえ板６をネジ８で固定する時、ネジ８が支柱２ｇを貫通して先端がトップカバー１の円弧溝１ｄに嵌り、発光部ユニット２とトップカバー１の突出部１ａに密着収納する図２のＡに示される収納位置と起立ポップアップする図３のＡに示されるポップアップ位置をこの円弧溝１ｄによって規制されている。
【００１７】
発光部ユニット２の腕２ｂ側には検知スイッチ７がネジ９で固定されていて、揺動レバー４の揺動動作において、ピン４ａが検知スイッチ７の接片７ａに作用して検知信号が発信されるようになっている。これら部品が装着された発光部ユニット２を上からカバー１１で封着している。
【００１８】
以上説明のトップカバー１と発光部ユニット２の図１に示す組み立て構成において、発光部ユニット２がポップアップする動作及び収納する動作について以下詳述する。
【００１９】
今、図２のＡに示すように発光部ユニット２がトップカバー１の突出部１ａに密着収納状態にある時、被写体の光量条件によりフラッシュ撮影を必要とした時、撮影者は発光部ユニット２を持ち上げて発光部ユニット２を起立状態へポップアップする必要があるが、その操作として、発光部ユニット２のカバー１１を指で挟み、上方へ持ち上げる。この時の状態を図２のＢに示していて、発光部ユニット２が密着収納状態の（１）から持ち上げた（２）の状態まではスナップバネ５のリング端５ｂが発光部ユニット２の支柱２ｆに掛かっているためスナップバネ５からリング端５ａの揺動レバー３のピン３ａを通して揺動レバー３を右方向に回転すべく力となるが、既に説明のように揺動レバー３の小判形状のヒンジ軸３ｂとトップカバー１の小判形状のヒンジ穴１ｂによって、揺動レバー３が図２のＡで示す位置から更なる右方向回転を禁止しているため、発光部ユニット２を持ち上げる操作はスナップバネ５をチャージする操作に転換される。
【００２０】
このため図２のＢにおいて（１）から（２）のカバー１１を含む発光部ユニット２の手動による持ち上げ操作では常に発光部ユニット２がトップカバー１に密着収納状態になる方向に付勢されていて、持ち上げの途中でカバー１１から指を離すと、スナップバネ５の復元力によって発光部ユニット２が密着収納状態に復帰する。
【００２１】
次に図２のＢにおける（２）の位置以上に持ち上げると揺動レバー３のスナップバネ５のリング端５ａを掛けているピン３ａの位置よりもリング端５ｂを掛けている発光部ユニット２の支柱２ｆが高くなり、今度は今までスナップバネ５に蓄積されたチャージ力がリング端５ａから揺動レバー３のピン３ａを通して下方の押力として作用するため揺動レバー３は左に反転して、図３のＡに示すストップ位置まで回転先行する。この時揺動レバー３は反対側の揺動レバー４と一体で反転するため、揺動レバー４のピン４ａによって検知スイッチ７の接片７ａに作用し発光部ユニット２がポップアップしたことを示す信号として発信される。
【００２２】
揺動レバー３が左回転したストップ位置ではスナップバネ５に残っている蓄積されたチャージ力はスナップバネ５のリング端５ｂから発光部ユニット２の支柱２ｆを通して発光部ユニット２全体を上方に持ち上げる力となるため、手動によって持ち上げた操作は途中からスナップバネ５の復元力によって、最上昇のポップアップ位置まで独りでに上昇して停止する。図３のＡに示すようにポップアップ位置で発光部１０は正面を向き、フラッシュ撮影態勢が整う。発光部ユニット２が図２のＡに示す収納状態から図３のＡに示す起立したポップアップ状態までの動作角の約半分以内の角度で設定される（２）の位置は上方移動のスナップ動作における死点に当たる。
【００２３】
次にフラッシュ撮影終了後ポップアップしている発光部ユニット２を収納しようとする時は今度はポップアップ時とは逆で、図３のＡに示す状態の発光部ユニット２のカバー１１を指で左下方に押し下げる操作を行うが、その時の状態を図３のＢに示していて、発光部ユニット２がポップアップ位置の（３）から押し下げた（４）の状態までは発光部ユニット２の支柱２ｆに掛けてあるスナップバネ５のリング端５ｂからリング端５ａが掛けてある揺動レバー３のピン３ａを通して揺動レバー３を左方向に回転すべく力となるが、前述の通り、と同じく揺動レバー３が図３のＡで示す位置から更なる左方向回転を禁止しているため、発光部ユニット２を押し下げる操作はスナップバネ５をチャージする操作に転換される。
【００２４】
このため図３のＢにおいてポップアップ位置の（３）から（４）へのカバー１１を含む発光部ユニット２の手動による押し下げ操作では常に発光部ユニット２が起立するポップアップ状態になる方向に付勢されていて、押し下げの途中でカバー１１から指を離すと、スナップバネ５の復元力によって発光部ユニット２がポップアップ状態に復帰する。
【００２５】
次に図３のＢにおける（４）の位置以上に押し下げると揺動レバー３のスナップバネ５のリング端５ａを掛けているピン３ａの位置よりもリング端５ｂを掛けている発光部ユニット２の支柱２ｆが低くなり、今度は今までスナップバネ５に蓄積されたチャージ力がリング端５ａから揺動レバー３のピン３ａを通して上方の押力として作用するため揺動レバー３は右に反転して、図２のＡに示す収納ストップ位置まで回転先行する。この時も揺動レバー３は反対側の揺動レバー４と一体で反転するため、揺動レバー４のピン４ａによって検知スイッチ７の接片７ａに作用し発光部ユニット２が収納したことを示す信号として発信される。
【００２６】
揺動レバー３が右回転した収納ストップ位置ではスナップバネ５に残っている蓄積されたチャージ力はスナップバネ５のリング端５ｂから発光部ユニット２の支柱２ｆを通して発光部ユニット２全体を下方に押し下げる力となるため、手動によって押し下げた操作は途中からスナップバネ５の復元力によって、トップカバー１の突出部１ａに密着収納状態位置まで独りでに下降して停止する。図２のＡに示すように収納位置では発光部１０がトップカバー１内に埋没した形で収納される。発光部ユニット２が図３のＡに示す起立したポップアップ状態から図２のＡに示す収納状態までの動作角の約半分以内の角度で設定される（４）の位置は下方移動のスナップ動作における死点に当たる。
【００２７】
以上説明のように手動によるカバー１１を含む発光部ユニット２の持ち上げ及び押し下げ操作で感触の良いスナップ動作が実現でき、特に機構が簡単であって、確実な動作が保証されることが特徴であり、機構上、トップカバー１の外気と通じる穴はヒンジ穴１ｂと１ｃだけで、これも揺動レバー３及び４のヒンジ軸３ｂ及び４ｂによって嵌挿されているため漏光防止、防水効果は卓越している。
【産業上の利用可能性】
【００２８】
産業上の機構部品、特に防水、防滴及び気密性を要する製品のスナップ機構に適し、広範な応用の可能性が高い。
【図面の簡単な説明】
【００２９】
【図１】本発明のフラッシュ機構を一眼レフカメラのトップカバーに搭載した１実施例を示す組み立て斜視図である。
【図２】本発明装置の収納時の断面図である。
【図３】ポップアップ時の断面図である。
【符号の説明】
【００３０】
１  トップカバー
２  発光部ユニット
３  揺動レバー
４  揺動レバー
５  スナップバネ
６  押さえ板
７  検知スイッチ
８  ネジ
９  ネジ
１０  発光部
１１  カバー
【図１】
2006308818.tif 000003
【図２】
2006308818.tif 000004
【図３】
2006308818.tif 000005